(57)【特許請求の範囲】
【請求項１】
人の助力を要する老犬又は障害を有する犬に装着される胴輪であって、
内面にメッシュ加工が施された柔軟な素材からなる胴包体が、背中側から両側方に展開可能に、かつその周長が調節可能となるように形成され、
この胴包体には、背中部分を閉じた状態で前端に開口する首用開口部、後端に開口する胴用開口部、及び両側部に開口する一対の脚用開口部が、それら開口部以外の部分を面的に連続させるように形成されてなり、
前記胴包体の上部には、犬の胴体を引き上げるための背グリップ部が設けられ、
前記首用開口部の開口縁には、犬の首部を引き上げるための首グリップ部が、該開口縁に沿って設けられ、
前記脚用開口部の開口縁には、犬の肩部を引き上げるための肩グリップ部が、該開口縁に沿って設けられたことを特徴とする犬介護用胴輪。
【請求項２】
背グリップ部、首グリップ部及び肩グリップ部は、布製や合成樹脂製の帯状体、或いは合成樹脂製や金属製のハンドルからなり、胴包体の外面に取り付けられたことを特徴とする請求項１に記載の犬介護用胴輪。
【発明の詳細な説明】
【技術分野】
【０００１】
本発明は、老犬又は障害を有する犬に装着され、人による介助を行うための胴輪に関する。
【背景技術】
【０００２】
犬は高齢になると足腰が弱ってしまうため、歩くことがままならなくなり、最後には自力で立ち上がることさえ困難な状態となってしまう。このように自力で立ち上がれなくなったり、また、障害を有していたりして寝たきりの状態になると、犬も人間と同じように内臓などの器官の働きが悪くなり、様々な病気を発症してしまうため、死亡時期が早まってしまうことが多い。
【０００３】
また、犬は自力で立ち上がれなくても、内臓疾患などで弱っていない限り、人間が補助して立たせることで、多くは歩行することができる。
【０００４】
しかしながら、足腰の弱った犬を立ち上がらせたり、歩行させたりといったことを、人間の手のみで補助することは容易ではない。さらに、体重が２０Ｋｇ以上もあるような大型犬ともなると、上記のような補助は人間一人の力では困難である。
【０００５】
そこで、取手が上部に設けられた犬の介護用胴輪が特許文献１および特許文献２に提案されている。これらの胴輪は、犬に装着させた際に上部に取手が設けられているので、人間がこの取手を使って犬を上方に持ち上げるような方向に補助をすることができるというものである。従って、犬が立ち上がる際の補助、立ち上がった状態を保持する際の補助、および、歩行の際の補助などを上記胴輪を用いることで、人間一人の力でも容易にできるようになるといった効果がある。
【特許文献１】登録実用新案第３０５９８１５号公報
【特許文献２】登録実用新案第３１０３９６３号公報
【発明の開示】
【発明が解決しようとする課題】
【０００６】
ところで、足腰の弱った大型犬などを地面に伏せた状態から起き上がらせるには、まず前足を起立させた後に、後ろ足を起立させるといった手順を踏むのが犬への負担が少なく、最も効率がよい。しかしながら、上記した胴輪は、取手が犬の背中に相当する部分に設けられているだけであるので、犬の胴に対して真上にしか力を加えられず、犬を起き上がらせる上記の動作には対応することができない。すなわち、上記胴輪を装着させた犬を伏せた状態から起き上がらせるために取手を持ち上げると、犬の腹部が前後同時に浮き上がるような格好となり、前足と後ろ足とを同時に起立させてしまう。この場合、介助している人間は犬の全体重を持ち上げなくてはならず、相当な力が必要になり、また、犬は腹部で全体重が支えられることとなり、内臓に負担がかかる虞がある。
【０００７】
また、地面に伏せた状態の犬を、餌や水分が摂取し易いようにお座りの姿勢に誘導する場合、前足だけを起立させるような補助が必要であるが、上記した胴輪の取手は真上方向にしか力を加えることができないため、この取手を使っての補助は困難であった。そのため、犬をお座りの姿勢にするには、人間の手のみで犬の上半身を持ち上げるしかなく、犬には掴み易いところもないため補助には相当な力を必要としていた。
【０００８】
また、お座りの姿勢になった犬の前足には、上半身の重みによって負担がかかるため、その姿勢のまま人間が支えるように補助する必要があるが、その場合にも犬には掴むところもなく補助には相当な力を必要としていた。
【０００９】
本発明は係る実情に鑑みてなされたもので、その目的は、老犬や障害を有する犬に装着させ、犬を様々な姿勢にするための介助ができる胴輪を提供することにある。
【課題を解決するための手段】
【００１０】
上記課題を解決するため、本発明の犬介護用胴輪は、人の助力を要する老犬又は障害を有する犬に装着される胴輪であって、内面にメッシュ加工が施された柔軟な素材からなる胴包体が、背中側から両側方に展開可能に、かつその周長が調節可能となるように形成され、この胴包体には、背中部分を閉じた状態で前端に開口する首用開口部、後端に開口する胴用開口部、及び両側部に開口する一対の脚用開口部が、それら開口部以外の部分を面的に連続させるように形成されてなり、前記胴包体の上部には、犬の胴体を引き上げるための背グリップ部が設けられ、前記首用開口部の開口縁には、犬の首部を引き上げるための首グリップ部が、該開口縁に沿って設けられ、前記脚用開口部の開口縁には、犬の肩部を引き上げるための肩グリップ部が、該開口縁に沿って設けられたことを特徴とする。
【００１１】
この発明によると、犬の首部を引っ張るための首グリップ部が首用開口部の開口縁に沿って設けられているから、この胴輪を犬に装着させて首グリップ部を引っ張ることで、犬を所定の姿勢にするための補助をしたり、犬を所定の姿勢のままに保持したりすることができる。従って、例えば、胴輪が装着された犬が地面に伏せた状態であるとき、首グリップ部を引っ張ることで、犬の上半身を持ち上げ、犬をお座りの姿勢に誘導することができる。
【００１４】
また、この発明によると、犬の肩部を引っ張るための肩グリップ部が脚用開口部の開口縁に沿って設けられているから、この胴輪を犬に装着させて肩グリップ部を引っ張ることで、犬を所定の姿勢にするための補助をしたり、犬を所定の姿勢のままに保持したりすることができる。従って、例えば、胴輪が装着された犬がお座りの姿勢のとき、肩グリップ部を引っ張ることで、犬の前足にかかる体重の負担を減らしながら、犬をお座りの姿勢に保持することができる。
【００１８】
また、例えば、胴輪が装着された犬が地面に伏せた状態であるとき、首グリップ部を引っ張ることで、犬の上半身を持ち上げて犬をお座りの姿勢に誘導し、さらに、肩グリップ部を引っ張ることで、犬の前足にかかる体重の負担を減らしながら、犬をお座りの姿勢のまま保持することができる。
【００１９】
また、この発明によると、犬の胴体を引っ張るための背グリップ部が、前記胴包体の上部に設けられているから、この胴輪を犬に装着して背グリップ部を引っ張ることで、犬を所定の姿勢にするための補助をしたり、犬を所定の姿勢のままに保持したりすることができる。従って、例えば、胴輪が装着された犬がお座りの姿勢であるとき、背グリップ部を引っ張ることで、犬の前後の足にかかる体重の負担を減らしながら犬を立ち上がらせることができ、さらに、その姿勢のまま犬を歩行させることもできる。
【００２２】
また、この発明によると、胴包体が両側方に展開可能に、かつ、その周長が調節可能となるように形成されているから、犬への胴輪の着脱が容易に行えるとともに、犬の胴回りに応じて胴輪の周長を変更することができる。従って、この胴輪を様々な犬に装着させることができ、また、体重の増減により犬の胴回りが変化しても胴輪を最適な周長に調節することができる。
【００２６】
また、この発明によると、胴包体は、内面にメッシュ加工が施された柔軟な素材で形成されているから、通気性がよくなり、犬の胴包体に接触している部分を汗などでむれにくくすることができると同時に、犬が胴包体から受ける負担を軽減させることができる。
【発明の効果】
【００２７】
本発明の犬介護用胴輪は、老犬や障害を有する犬に装着し各グリップを引っ張るだけで犬を様々な姿勢にすることができるので、介助のための負担を軽減することができるといった効果を奏する。
【発明を実施するための最良の形態】
【００２８】
以下、本発明の実施の形態について、図面を参照して説明する。
【００２９】
図１、図２および図３は、様々な姿勢の犬に装着した本実施の形態における犬介護用胴輪を示す概略図である。
【００３０】
本実施の形態の犬介護用胴輪１は、首用開口部３１、脚用開口部３２、および、胴用開口部３３を有する胴包体２と、首グリップ部４１と、肩グリップ部４２と、背グリップ部４３とを備えている。
【００３１】
ここで、胴包体２には、首グリップ部４１と肩グリップ部４２とのうち少なくともどちらか１つが設けられていればよく、また、背グリップ部４３は必ずしも設けられている必要はない。
【００３２】
上記胴包体２は、犬介護用胴輪１の基体となるものであり、首用開口部３１、脚用開口部３２、および、胴用開口部３３を有している。胴包体２としては、特に限定するものではなく、例えば、布や合成樹脂などを単独でまたはこれらを組み合わせて用いることができる。胴包体２は、内面にダブルラッセルなどのメッシュ加工を施すとよく、これにより通気性がよくなり、犬６の胴包体２に接触している部分を汗などでむれにくくすることができると同時に、柔軟性と適度な弾力性を有していることから、犬が胴包体から受ける負担を軽減させることができる。
【００３３】
なお、胴包体２は、両側方に展開可能とされるとともに、その周長が調節可能とされるとよい。これにより、犬６の胴回りに応じて胴包体２の周長を変更することができるため、この胴輪１を様々な犬６に装着させることができ、また、体重の増減により犬６の胴回りが変化しても胴包体２を最適な周長に調節することができる。
【００３４】
胴包体２を展開可能とした際の各端縁同士の係合手段としては、特に限定するものではなく、例えば、スライドファスナー５、面ファスナー、ボタン、スナップ、ホック、および、ベルトなどがあげられる。上記した種々の係合手段を用いた場合、胴包体の周長を変更する方法はそれぞれ以下に示すように行うことができる。
【００３５】
上記スライドファスナー５を用いる場合、図４に示すように、胴包体２の一方の端縁２１に沿ってスライダー付きのエレメント５１を、他方の端縁２２に沿ってスライダー無しのエレメント５２をそれぞれ取り付ける。胴包体２の周長を変更可能とするには、胴包体のどちらか一方の端縁におけるエレメントを複数本設け、そのうち最適な周長となるエレメントを選択して互いをスライダー５３によって係合させて行うことができる。
【００３６】
図５は、係合手段としてスライドファスナー５を用いた場合における胴包体２の周長を変更する方法を具体的に示したものである。図５（ａ）に示すように、展開状態の胴包体２には、一方の端縁２１に沿って２本のスライダー付きエレメント５１が設けられており、また、他方の端縁２２に沿って１本のスライダー無しエレメント５２が設けられている。この胴包体２の周長を大き目にする場合、２本のスライダー付きエレメント５１のうち端縁２１に近い方のスライダー付きエレメント５１を選択し、図５（ｂ）に示すように、これとスライダー無しエレメント５２とをスライダー５３によって係合させることで行うことができる。また、この胴包体２の周長を小さ目にする場合、２本のスライダー付きエレメント５１のうち端縁２１から遠い方のスライダー付きエレメント５１を選択し、図５（ｃ）に示すように、これとスライダー無しエレメント５２とをスライダー５３によって係合させることで行うことができる。
【００３７】
上記面ファスナーを用いる場合、胴包体２の一方の端縁２１にフック面を設けるとともに、他方の端縁２２にループ面を設ける。胴包体２の周長を変更可能とするには、フック面またはループ面の少なくとも一方を幅広とし、最適な周長になるようにそれらを重ね合わせることによって行うことができる。
【００３８】
上記ボタンを用いる場合、胴包体２の一方の端縁２１に沿ってボタンを連設するとともに、他方の端縁２２に沿ってボタン位置に対応するように穴やループを連設する。胴包体２の周長を変更可能とするには、ボタンまたは穴などのどちらか一方を複数列に連設し、その列のうち最適な周長となるものを選択してボタンを通して止めることによって行うことができる。
【００３９】
上記スナップを用いる場合、胴包体２の一方の端縁２１に沿って凹部材を連設するとともに、他方の端縁２２に沿って凸部材を連設する。胴包体２の周長を変更可能とするには、凹部材または凸部材のどちらか一方を複数列に連設し、その列のうち最適な周長となるものを選択して嵌め合わせることによって行うことができる。
【００４０】
上記ホックを用いる場合、胴包体２の一方の端縁２１に沿ってフック部材を連設するとともに、他方の端縁２２に沿ってフック部材を引っ掛けるためのバー部材を連設する。胴包体２の周長を変更可能とするには、フック部材またはバー部材のどちらか一方を複数列に連設し、その列のうち最適な周長となるものを選択してフック部材をバー部材に引っ掛けることによって行うことができる。
【００４１】
上記ベルトを用いる場合、胴包体２の一方の端縁２１にバックルを有するベルト帯を取り付けるとともに、他方の端縁２２に複数の穴を有するベルト帯を取り付ける。胴包体２の周長を変更可能とするには、他方のベルト帯の穴位置を調節しながらバックルに通して互いのベルト帯を固定することによって行うことができる。
【００４２】
上記首用開口部３１、脚用開口部３２、および、胴用開口部３３は、犬６に胴輪１を装着した際に、それぞれ、犬６の首が出る部分、前脚が出る部分、および、胴が出る部分である。また、首用開口部３１、脚用開口部３２、および、胴用開口部３３は、胴包体２の前端、両側部、および、後端にそれぞれ形成されている。
【００４３】
上記首グリップ部４１は、胴包体２の首用開口部３１の開口縁に設けられ、人間が持って力を加えることで犬６の動作や姿勢を補助するためのものである。首グリップ部３１としては、特に限定するものではなく、図１に示すように首用開口部３１に沿って設けられた布製や合成樹脂製のもの、金属や合成樹脂からなる硬質のハンドルなどがあげられる。
【００４４】
上記肩グリップ部４２は、胴包体２の脚用開口部３２の開口縁に設けられ、人間が持って力を加えることで犬６の動作や姿勢を補助するためのものである。肩グリップ部４２としては、特に限定するものではなく、図１に示すように脚用開口部３２に沿って設けられた布製や合成樹脂製のもの、金属や合成樹脂からなる硬質のハンドルなどがあげられる。
【００４５】
上記背グリップ部４３は、胴包体２の上部に設けられ、人間が持って力を加えることで犬６の動作や姿勢を補助するためのものである。背グリップ部４３としては、特に限定するものではなく、図１に示すように胴包体２の上部に沿って設けられた布製や合成樹脂製のもの、金属や合成樹脂からなる硬質のハンドルなどがあげられる。
【００４６】
次に、本実施の形態の犬介護用胴輪１を犬６に装着して、犬６の介助をする方法について一例を説明する。
【００４７】
図３に示すような地面に伏せた状態の犬６を、図２に示すようなお座り状態にさせるためには、まず、首グリップ部４１を持って上方かつ後方に引っ張る。これにより犬６の上半身が持ち上がるので、犬６は前足を起立状態とさせることができ、おすわり状態になることができる。
【００４８】
犬６をこの図２に示すようなお座り状態の姿勢のまま保持するには、犬６の前足に上半身の自重がかかっているため、肩グリップ部４２を上方かつ後方に引き上げて保持する。これにより、犬６は前足に上半身の全自重がかかることがなくなり、犬６への負担を少なくすることができる。
【００４９】
次に、この図２に示すようなお座り状態の犬６を、図１に示すような前後の足とも起立状態となるように立たせるには、背グリップ部４３を上方に引っ張ることにより行うことができる。これにより、起立するときに後ろ足に負荷される体重が軽減され、後ろ足が起立状態になるのを補助することができる。
【００５０】
この図１に示すような前後の足が起立状態となった犬６を歩行させるには、背グリップ部４３を上方に一定の力で引き上げることで行われ、これにより、犬６の体重がそれぞれの足に負荷されるのを軽減することができ、人間が犬６とともに歩くことができる。
【００５１】
以上のように本実施の形態の犬介護用胴輪１を用いることで、犬６にかかる負担を軽減しながら介助することができ、また、人間も介助する際に無理な力を加える必要をなくすことができる。
【００５２】
なお、上記のようにして、本実施の形態の犬介護用胴輪１は犬６の介助に用いることができるが、それぞれのグリップ部の使用方法はこれに限定するものではなく、犬６の状態や体勢に応じて種々の方法で使用することができる。
【図面の簡単な説明】
【００５３】
【図１】起立状態の犬に装着した本発明の犬介護用胴輪を示す概略図である。
【図２】お座り状態の犬に装着した本発明の犬介護用胴輪を示す概略図である。
【図３】伏せた状態の犬に装着した本発明の犬介護用胴輪を示す概略図である。
【図４】犬介護用胴輪を示す平面図および底面図である。
【図５】犬介護用胴輪の係合手段を示す説明図である。
【符号の説明】
【００５４】
１        犬介護用胴輪
２        胴包体
３１      首用開口部
３２      脚用開口部
３３      胴用開口部
４１      首グリップ部
４２      肩グリップ部
４３      背グリップ部
５        スライドファスナー
５１      スライダー付きエレメント
５２      スライダー無しエレメント
５３      スライダー
６        犬
【図１】
0004467513.tif 000002
【図２】
0004467513.tif 000003
【図３】
0004467513.tif 000004
【図４】
0004467513.tif 000005
【図５】
0004467513.tif 000006